(57)【要約】【課題】  ＬＥＤ等の発光素子を備え、文字、図形、記号等を表示可能な表示装置で、ＬＥＤ等の非点灯時は所望の模様、絵画等を明瞭に表示することができる表示装置を提供すること。【解決手段】  複数のＬＥＤ１をボード２と、ＬＥＤ１からの光の射出方向前方側に配置する半透明のシート部材３とからなる。シート部材３は微細な透光孔、又は透光スリットを形成するか、全体を半透鏡として構成する。シート部材３の表示側面に模様、記号、文字５を記載できＬＥＤ１の非点灯時時はこれらの模様、記号、文字を表示できる。ＬＥＤ１の点灯時にはボード２にＬＥＤ１で描かれた文字、記号、図形等１０が現れる。【選択図】        図１
2005062441.tif 000002
【特許請求の範囲】
【請求項１】
複数の発光素子を備える面光源体と、該面光源体からの光の射出方向の前方側に配置され、少なくとも一部に半透光性部分を備えたシート部材を備えたことを特徴とする表示装置。
【請求項２】
請求項１の表示装置において、上記シート部材には微細な透光孔部が所定領域にわたり多数形成されていることを特徴とする表示装置。
【請求項３】
請求項１の表示装置において、上記シート部材には微細な透光スリット部が所定領域にわたり多数形成されていることを特徴とする表示装置。
【請求項４】
請求項２または請求項３の表示装置において、前記シート部材の面光源体と反対側の表示側面には画像が描かれていることを特徴とする表示装置
【請求項５】
請求項２ないし請求項４のいずれかに記載の表示装置において、上記シート部材の面光源体側面は黒色に形成されていることを特徴とする表示装置。
【請求項６】
請求項１の表示装置において、上記シート部材は、半透鏡であることを特徴とする表示装置。
【請求項７】
請求項６の表示装置において、前記シート部材の光源体と反対側の表示側面には透光性素材で画像が描画されていることを特徴とする表示装置。
【請求項８】
請求項１ないし請求項７のいずれかの表示装置において、上記シート部材の周囲には枠体が形成され、前記枠体が上記面光源体に取り付けられることを特徴とする表示装置。
【請求項９】
請求項８に記載の表示装置において、上記枠体は面光源体の周囲に嵌装され、上記シート部材と面一に形成されていることを特徴とする表示装置。
【請求項１０】
請求項１ないし９のいずれかの表示装置において、上記シート部材の面光源体と反対側の表示側面には木目模様が表示されていることを特徴とする表示装置。
【請求項１１】
請求項１ないし請求項９のいずれかの表示装置において、上記シート部材の面光源体と反対側の表示側面には絵画が描かれていることを特徴とする表示装置。
【請求項１２】
請求項１ないし１１のいずれかの表示装置において、上記面光源体の発光素子はＬＥＤであることを特徴とする表示装置。
【請求項１３】
請求項１ないし１２のいずれかの表示装置において、シート部材は透明パネル材の前方側あるいは後方側に貼付されていることを特徴とする表示装置。
------------------------------------------------------
【発明の詳細な説明】
【技術分野】
【０００１】
本発明は、複数のＬＥＤ等の発光素子を備え、文字、図形、記号等を表面に描画された画像中に表示可能な表示装置に関する。
【背景技術】
【０００２】
複数のＬＥＤ１等の点灯、消灯により文字等を表示可能に構成した表示装置としては、マトリクス状その他所望の形態にＬＥＤ１等の点光源となる発光素子を配列した基板の前面側にアクリル板等の透明板を配したものが周知である。このような表示装置では、ＬＥＤ１等の消灯中は表面に配置されたアクリル板等の表面の色味、あるいは彩色のための透明フィルムが現れるだけであるから、看板以外の装飾に使用することができない。もしＬＥＤ１等を消灯した状態で表示装置に何らの模様や絵画を表示したとすると、ＬＥＤ１等で描く文字等が表面の表示に隠されてしまい明瞭に現れないという問題がある。
【０００３】
しかしながら、上述のような表示装置は安価に構成できるため、店舗内外の表示用等の用途においては広く用いられている。
【特許文献１】特開２００３−０６６８７３号公報
【発明の開示】
【発明が解決しようとする課題】
【０００４】
そこで本発明は、ＬＥＤ１等の発光素子を備え、文字、図形、記号等を表示可能な表示装置を構成し、ＬＥＤ１等の点灯時には表示すべき文字等を明瞭に表示でき、ＬＥＤ１等の非点灯時には所望の模様、絵画等を明瞭に表示することができる表示装置を提供することを目的とする。
【課題を解決するための手段】
【０００５】
本発明の請求項１に係る表示装置は、上記目的を達成するために、複数の発光素子を備える面光源体と、該面光源体からの光の射出方向の前方側に配置され、少なくとも一部に半透光性部分を備えたシート部材を備えたことを特徴とする。
【０００６】
同請求項２に係る表示装置は、上記目的を達成するために、請求項１表示装置において、上記シート部材には所定領域にわたり微細な透光孔部が所定領域にわたり多数形成されていることを特徴とする。
【０００７】
同請求項３に係る表示装置は、上記目的を達成するために、請求項１の表示装置において、上記シート部材の透光部には微細な透光スリット部が所定領域にわたり多数形成されていることを特徴とする。
【０００８】
同請求項４に係る表示装置は、上記目的を達成するために、請求項２または３のいずれかの表示装置において、前記シート部材の面光源体と反対側の表示側面には画像が描かれていることを特徴とする。
【０００９】
同請求項５に係る表示装置は、上記目的を達成するために、請求項２ないし４のいずれかの表示装置において、上記シート部材の面光源体側面は黒色に形成されていることを特徴とする。
【００１０】
同請求項６に係る表示装置は、上記目的を達成するために、請求項１の表示装置において、上記シート部材は、半透鏡であることを特徴とする。
【００１１】
同請求項７に係る表示装置は、請求項６の表示装置において、上記シート部材の面光源体と反対側の表示側表面には透光性素材で画像が描画されていることを特徴とする。
【００１２】
同請求項８に係る表示装置は、上記目的を達成するために、請求項１ないし７のいずれかの表示装置において、上記シート部材の周囲には枠体が形成され、前記枠体が上記面光源体に取り付けられることを特徴とする。
【００１３】
同請求項９に係る表示装置は、上記目的を達成するために、請求項８に記載の表示装置において、上記枠体は面光源体の周囲に嵌装され、上記シート部材と面一に形成されていることを特徴とする。
【００１４】
同請求項１０に係る表示装置は、上記目的を達成するために、請求項１ないし９のいずれかの表示装置において、上記シート部材の面光源体と反対側の表示側面には木目模様が表示されていることを特徴とする。
【００１５】
同請求項１１に係る表示装置は、上記目的を達成するために、請求項１ないし９のいずれかの表示装置において、上記シート部材の面光源体と反対側の表示側面には絵画が描かれていることを特徴とする。
【００１６】
同請求項１２に係る表示装置は、請求項１ないし１１のいずれかの表示装置において、上記面光源体の発光素子はＬＥＤであることを特徴とする。
【００１７】
同請求項１３に係る表示装置は、請求項１ないし１２のいずれかの表示装置において、シート部材は透明パネル材の前方側あるいは後方側に貼付されていることを特徴とする。
【発明の効果】
【００１８】
本発明の請求項１に係る表示装置は、発光素子が点灯されていない場合においては表面板のシート部材の表示面の状態、あるいはシートが透明である場合には面光源側面に描かれた画像が表示される。一方、発光素子が点灯された場合には発光素子の光がシート部材から表面に射出され、発光素子が描いた文字、図形、記号が表示される。
【００１９】
本発明の請求項２に係る表示装置は、面光源体が発光していない場合には外光によって画像表示部の表面を提示する一方、面光源体が発光した場合には面光源体からの光は透光孔部から射出され、面光源体に表示された文字、記号、画像が表示される。即ち、本発明では透光孔部は微細であるから面光源体の非点灯時には、透光孔部は肉眼では視認しにくく、その内部は外部に比べて暗いから面光源体等の内蔵物は外部から視認できない。
【００２０】
本発明の請求項３に係る表示装置は、面光源体が発光していない場合には外光によって画像表示部の表示側面を提示する一方、面光源体が発光した場合には面光源体からの光は透光スリットから射出され、面光源体に表示された文字、記号、画像が表示される。即ち、本発明では透光スリット部の寸法は微細であるから面光源体の非点灯時には、透光スリット部は肉眼では視認しにくく、その内部は外部に比べて暗いから面光源体、光源等の内蔵物は外部から視認できない。
【００２１】
本発明の請求項４に係る表示装置は、発光素子が点灯されていない場合においては、シート部材の面光源体と反対側の表示側面に描かれた画像が表示され、発光素子が点灯された場合には発光素子の光が透光孔部または透光スリット部から射出され、発光素子が描いた文字、図形、記号が表示される。
【００２２】
本発明の請求項５に係る表示装置は、シートの裏面は黒色に形成されているから、面光源体の発光素子からの光は、乱反射することなくシートの裏面に吸収される。このため、面光源体の表示が明瞭に表示される。
【００２３】
本発明の請求項６に係る表示装置は、シート部材は半透鏡であるため、面光源体が発光していない場合にはシートと面光源体との間は外部に比べて暗いから外半透鏡は外光の略半分を反射し、内部が暗いため内部の光はほとんど射出せず鏡のように見える、一方、面光源体が発光した場合には面光源体からの光はその光量の略半分が射出されるからシート部材からは面光源体に表示された文字、記号、画像が表示される。
【００２４】
本発明の請求項７に記載の表示装置は、シートに透光性素材で画像が描かれているから、面光源体が発光していない場合には鏡に画像が描かれているように見える、一方、面光源体が発光した場合には面光源体からの光はその光量の略半分が射出されるからシート部材からは面光源体に表示された文字、記号、画像が前記画像を通して表示される。
【００２５】
請求項８に記載の表示装置は、面光源体の周囲に設けられた枠体が面光源体に取り付けられるから、表示装置の構造が頑丈になるほか、外光が表示装置の内部に入り込まず、表示装置のない部を暗く保つことができる。
【００２６】
請求項９に記載の表示装置は、枠体は面光源体の周囲に嵌装され、上記シート部材と面一に形成されているから、表示装置を頑丈とでき表示装置の内部を暗く保つことができる他、枠体とシートの一体感が得られる。
【００２７】
請求項１０に記載の表示装置は、シート部材には木目模様が表示されているから、枠体に同様の木目を表示すれば、あたかも１枚の木製板材のように見え、観者の関心を集める表示を行うことができる。
【００２８】
請求項１１に記載の表示装置は、シート部材の観者側の表面には絵画が描かれているから、面光源体を点灯させない場合には絵画のみを表示でき装飾として使用することができる。
【００２９】
請求項１２に記載の表示装置は、ＬＥＤを発光素子として使用したから、表示装置を低い電力消費、高い輝度、高い耐久性を備えるものとできる。
【００３０】
請求項１３に記載の表示装置は、シート部材は透明パネル材の前方側あるいは後方側に貼付されているから、表示装置の強度が保たれる他、シート部材が湾曲したり皺が発生したりすることがなく平面に保たれる。
【発明を実施するための最良の形態】
【００３１】
以下本発明を実施するための最良の形態を、図面に示す実施例を参照して説明する。
【実施例】
【００３２】
図１は本発明に係る表示装置の一実施例の面光源体の点灯時を示す分解斜視図、図２は一実施例の面光源体の非点灯時を示す分解斜視図、図３は同断面図、図４はシート部材を示す図であり（ａ）は面光源体側を示す拡大図、（ｂ）は（ａ）のＡ−Ａ線断面図、（ｃ）表示面側拡大図である。本実施形態に係る表示装置は主に、複数のＬＥＤ１を発光素子として備える面光源体であるボード２と、ＬＥＤ１からの光の射出方向前方側に配置するシート部材３と、シート部材３の周囲に配置され、前記ボード２の周囲に嵌挿される枠体４とから構成してある。
【００３３】
なおＬＥＤ１電源は商用電源を利用しても良いし、専用の電源を用意しても良いが、図示は省略する。また発光駆動制御回路等の制御手段についても種々公知のものを採用すればよいので図示及び説明を省略する。さらに、ボード２や枠体４等は適宜の支持体により例えば看板状の広告装置等として構成するが、それについても周知であるので図示及び説明を省略する。
【００３４】
本例では、ボード２は、例えば一面側に多数のＬＥＤ１をマトリックス状にあるいは表示しようとする特定の文字や図形等１０を表示できるように配置して構成するもので、図示の例では多数の行、列からなるマトリクス状に配置してあるが、本発明におけるＬＥＤ１等の発光素子の配置形態は図示の例には限定されない。また発光素子としてはＬＥＤ１に限定されず、同様のものを種々採用できる。また、以下の説明では複数のＬＥＤ１の発光色が同じ場合として説明するが、もちろん複数色のＬＥＤ１を適宜配列するなどの構成も可能である。
【００３５】
ボード２には、内側形状が前記ボード２の外形状と略同形状の内形状を備え、ボード２に換装される枠体４を配置して構成している。また、この枠体４の内側にはアクリル樹脂ポリカーボネート樹脂等の透明な合成樹脂板材で形成され、上記枠体４の内部に嵌め込み固定された透明パネル材と、この透明パネル材１１に貼付されたシート部材３が設けられている。この場合、枠体４の表面とシート部材３とを面一に配置されていることが好ましい。これにより、表示装置の内部は外部からの光が入り込まず、外部より暗い状態となる。
【００３６】
このシート部材３は図４に示すように、透明の合成樹脂製例えば、アクリル樹脂、ポリカーボネート樹脂薄板で形成した基材６と、この基材６一方の面、すなわちボード２側に黒色の塗装をなして形成した黒色塗装層７と、基材６の他方の面、すなわちボード２と反対側の表示側面に木目模様５を印刷した画像表示層８とから構成している。そして、この例では、シート部材３には全面にわたり透光孔部９が規則的に開設されている。この透光孔部９は例えば直径１ｍｍ以下のものであることがのぞましい。
【００３７】
本例によれば、面光源体が発光していない場合には外光によって反射散乱光Ｌ１により、画像表示部の表面の画像表示層８に描かれた木目模様５を提する。このとき、本例では透光孔部９は微細であるからＬＥＤ１の非点灯時には、透光孔部９は肉眼では視認しにくくなり、また表示装置の内部は外部に比べて暗いからＬＥＤ１等の内蔵物は外部から視認できない状態となる。また、本例では枠体４にも前記木目模様５に適合する木目模様を描いており、面光源体が非点灯の場合には枠体４とシート部材３とが面一であることに加え、枠体４とシート部材３とに描かれた木目模様５が一致しているため表示装置は全体として一枚の木材板のように見える。
【００３８】
一方、面光源体が発光した場合にはＬＥＤ１からの光は透光孔部９から射出光Ｌ２として射出され、面光源体に表示された文字、記号、画像が表示される。本例では木目模様５を背景として図１に示す「ヤマヤ」の文字１０が表示される。
【００３９】
従って、本例に係る表示装置は、あたかも１枚の木製板材のように見え、観者の関心を集める表示を行うことができる。
【００４０】
本例においては、ＬＥＤ１は、中、広指向性のものであってもよいが、狭指向性のＬＥＤ１を用いれば、ＬＥＤ１の射出光の比較的多くの部分が透光孔部９を通るので、この点で指向性が狭いものが好ましい。なお、図ではシート部材３の表示面に文字１０を構成しない部分にも光点が現れるように描いてあるが、これらは説明のためのものであり、消灯しているＬＥＤ１に対応する導光板３の表示面の部位には、ＬＥＤ１による光点は現れない。
【００４１】
なお、前記例では、シートに木目模様を表す例を示したが、木目模様の他、様々な模様、絵画、文字等を表すようにしてもよい。特にまた、表示シートに模様を描かないで表示シートの素地あるいは裏面の画像あるいは黒色層が現れるようにしてもよい。
【００４２】
特にシート部材の表面、すなわち面光源体と反対側の表示側面に絵画を表示したものは、面光源体を点灯させない場合には、絵画のみを表示でき装飾用に使用することができる。
【００４３】
また、上記例ではシート部材として透光孔部９を形成した場合を例として説明したが、このシート部材としては微細な透光スリットを形成する場合やシート部材として半透鏡を使用することができる。シート部材として透光スリットを形成する場合には、スリットは前記黒色塗装層７と画像表示層８にスリットを設け、面光源体の光はスリットを光で文字等を表示するようにすればよい。
【００４４】
また、半透鏡を使用する場合には、画像表示層になにも描かない場合には鏡として機能する。またこの半透鏡を使用する例で、画像表示層に画像を表示するにときには透光性素材で画像を描くことが好ましい。この場合、面光源体が発光していない場合には鏡に画像が描かれているように見え、一方、面光源体が発光した場合には面光源体からの光はその光量の略半分が射出されるからシート部材からは面光源体に表示された文字、記号、画像が前記画像を通して表示される。
【００４５】
また、前期実施側では透明パネル１１の前面側にシート部材３を貼付した側を示したが、後方側において表示側面に相模様、絵画、文字等を表したシート部材３を貼付するようにしてもよい。
【産業上の利用可能性】
【００４６】
本発明は、表示装置を
広告装置として使用できる他、ボード及びシート部材の構成を適宜変更するにより、テレビジョン、コンピュータシステムのディスプレイ装置、車両、航空機、電気製品の表示装置等に適用できる。
【図面の簡単な説明】
【００４７】
【図１】本発明に係る表示装置の一実施例の面光源体の点灯時を示す分解斜視図である
【図２】図１に示した一実施例の面光源体の非点灯時を示す分解斜視図
【図３】図１に示した一実施例の図１中断面図である
【図４】シートを示す図であり（ａ）は面光源体側を示す拡大図、（ｂ）は（ａ）のＡ−Ａ線断面図、（ｃ）表示面側拡大図である。
【符号の説明】
【００４８】
１：光源（ＬＥＤ）
２：面光源体（ボード）
３：シート部材
４：枠体
５：木目模様
６：基体
７：黒色塗装層
８：画像表示層
９：透光孔部
１０：表示する文字等
１１：透明パネル
Ｌ１：反射光
Ｌ２：射出光
【図１】
2005062441.tif 000003
【図２】
2005062441.tif 000004
【図３】
2005062441.tif 000005
【図４】
2005062441.tif 000006